(57)【要約】      （修正有）【課題】画像読取スピードを向上させることができると共に、光源の劣化よるスペクトル分布の変化を防止して、光量分布の変動を抑えることができる画像読取装置を提供する。【解決手段】画像読取装置は、レーザーモジュール１から光ファイバーコード３を介して導光されたコヒーレント光を可視光に変換する蛍光体発光部５を有する原稿照射ユニット１０２を備える。そして、画像の読み取り中の場合は、レーザーモジュール１に対する印加電力量を制御し、画像の読み取り中でない場合は、コヒーレント光の検知光量値に基づき、レーザーモジュール１に印加する電力量（光量）を調整する。【選択図】図１
2008147955.tif 000002
【特許請求の範囲】
【請求項１】
発光手段から導光手段を介して導光された光を可視光に変換する蛍光手段を有する原稿照射手段を備える画像読取装置であって、
前記発光手段に対する印加電力量を制御する制御手段と、
前記発光手段により発光される光の光量を検知する検知手段と、
前記検知手段による検知光量値に基づき、前記発光手段に印加する電力量を調整する調整手段と、
画像の読み取り中か否かを判断する判断手段と、を備え、
前記判断手段が画像の読み取り中でないと判断した場合は、前記調整手段による処理を実行し、前記判断手段が画像の読み取り中と判断した場合は、前記制御手段による処理を実行する、ことを特徴とする画像読取装置。
【請求項２】
前記判断手段は、少なくとも原稿を原稿台に搬送して該原稿の画像の読み取りを開始するまでの間は、画像が読み取り中でないと判断する、ことを特徴とする請求項１に記載の画像読取装置。
【請求項３】
前記調整手段は、前記検知手段による検知光量値と基準値との比較に基づいて、前記発光手段に印加する電力量を調整するとともに、前記基準値を初期状態時に決定する初期光量調整手段を備える、ことを特徴とする請求項１又は２に記載の画像読取装置。
【請求項４】
予め設定されたシェーディング補正用光量に対応するシェーディング補正量を算出して記憶する初期光量調整手段を備え、
前記判断手段が画像の読み取り中と判断した場合に、前記検知手段によって検知された光量に基づき、前記初期光量調整手段で決定したシェーディング補正量を設定してシェーディング補正を行う、ことを特徴とする請求項１〜３のいずれか一項に記載の画像読取装置。
【請求項５】
前記初期光量調整手段は、電源ＯＮ時、またはジョブ開始前に処理を実行する、ことを特徴とする請求項４に記載の画像読取装置。
【請求項６】
前記蛍光手段による光束を導光、拡散して、線光源とする手段を備えることを特徴とする請求項１〜５のいずれか一項に記載の画像読取装置。
【請求項７】
前記蛍光手段が複数配置される、ことを特徴とする請求項１〜６のいずれか一項に記載の画像読取装置。
【発明の詳細な説明】
【技術分野】
【０００１】
本発明は、原稿を照射して、その反射光を検知することで画像の読み取りを行う画像読取装置に関する。
【背景技術】
【０００２】
画像読取装置には、キセノン管を光源としたものや（特許文献１）、ＬＥＤを光源としたものがある。ＬＥＤ光源としては、ＬＥＤをアレイ状に並べて画像読取用の光源としたもの（特許文献２）や、ＬＩＤＥ（Ｒ）と呼ばれる光源を用いたもの等が提案されている（特許文献３）。ＬＩＤＥ（Ｒ）は、ＬＥＤによって発せられた光が、導光体を散乱されながら通過し、その光を原稿に照射することで画像を読み取る光源である。また、可視光光源から光ファイバーで導光する技術も提案されている（特許文献４）。光ファイバーによって導かれた可視光は、上記同様に、そのまま導光体を散乱されながら通過し、その光を原稿に照射することで画像を読み取る光源とするものである。
【特許文献１】特開平２−１４６８６２号公報
【特許文献２】特開昭６１−８９７６４号公報
【特許文献３】特開平９−２００４２９号公報
【特許文献４】実開昭６３−８１４５６号公報
【発明の開示】
【発明が解決しようとする課題】
【０００３】
しかし、上記特許文献１〜３の画像読取装置では、光源が発光する光量を装置側で測定できない。このため、比較的短いインターバルで、例えばシェーディング板に代表される光量調整部材に光学系を移動して、光量を測定し、光量調整、シェーディング補正を行わなければならず、画像の読取スピードの向上に限界がある。
【０００４】
また、上記特許文献４では、インコヒーレントで、且つブロードな光がファイバー内を通過するので、光源の劣化よるスペクトル分布の変化が生じる。
【０００５】
さらに、上記特許文献１〜４では、光源の劣化による光量減少時に、印加電力アップによる光量の補完を試みたときに、スペクトル特性や、光量分布に変動が発生する懸念がある。
【０００６】
そこで、本発明は、画像読取スピードを向上させることができるとともに、光源の劣化よるスペクトル分布の変化を防止して、光量分布の変動を抑えることができる画像読取装置を提供することを目的とする。
【課題を解決するための手段】
【０００７】
上記目的を達成するために、本発明の画像読取装置は、発光手段から導光手段を介して導光された光を可視光に変換する蛍光手段を有する原稿照射手段を備える画像読取装置であって、前記発光手段に対する印加電力量を制御する制御手段と、前記発光手段により発光される光の光量を検知する検知手段と、前記検知手段による検知光量値に基づき、前記発光手段に印加する電力量を調整する調整手段と、画像の読み取り中か否かを判断する判断手段と、を備え、前記判断手段が画像の読み取り中でないと判断した場合は、前記調整手段による処理を実行し、前記判断手段が画像の読み取り中と判断した場合は、前記制御手段による処理を実行する、ことを特徴とする。
【発明の効果】
【０００８】
本発明によれば、画像の読み取り中以外のときに、画像読取装置の状態如何にかかわらず光量調整を行うことができるので、次の画像読取制御までの待機時間を小さくすることができ、画像読取スピードを向上させることができる。
【０００９】
また、本発明による光量調整は、コヒーレントで且つブロードな光の調整であるため、光源の劣化よるスペクトル分布の変化は起こらず、光量分布の変動を抑えることができる。
【発明を実施するための最良の形態】
【００１０】
以下、本発明の実施の形態を図を参照して説明する。
【００１１】
まず、図１〜図３を参照して、本発明の第１の実施の形態である画像読取装置の光学ユニットの一例について説明する。この光学ユニット１００は、発光部ユニット１０１、および原稿照射ユニット１０２を備える。
【００１２】
発光部ユニット１０１は、図１および図２に示すように、レーザーモジュール１、レーザーモジュール１を保持する金属製ホルダ２、レーザーモジュール１より出力されるレーザー光を原稿照射ユニット１０２へ導く光ファイバーコード３を備える。光ファイバーコード３は、原稿照射ユニット１０２が高速で往復運動を行う使用状況にかんがみ、ＰＯＦ（プラスチック製光ファイバ）に代表される柔軟性の高い光ファイバーを用いことで、耐久性を保持する。
【００１３】
原稿照射ユニット１０２は、図１および図３に示すように、ホルダ４、蛍光体発光部５、放熱部材６、光リフレクタ７、線光源へと変換する導光体８、原稿の反射光が導かれる反射光路９とを備える。
【００１４】
蛍光体発光部５より照射されたレーザー光は、導光体８内に設けられた拡散面１０を反射して原稿面を照射する方向へ射出される。拡散面１０は、導光した方向と異なる方向に光を照射するためのものであり、図３に示すように、細かなテーパー面が導光体８の長手方向に連続的に形成されている。そして、テーパー面への入射角θがα以上（導光体がアクリル樹脂で、屈折率ｎ＝１．５）で入射した光は、全反射角条件を満足し、所望の方向に光を出射させるようになっている。また、テーパー面のピッチは１（ｍｍ）以下と非常に細かいため、原稿の短い範囲内では均一な照度分布が得られる。
【００１５】
次に、図４を参照して、本発明の第１の実施の形態である画像読取装置について説明する。
【００１６】
画像読取装置４００は、原稿を載置する原稿台ガラス４０１、該原稿台ガラス４０１を押圧し、開閉が可能な圧板４０２、および上述した光学ユニット１００を含む光学走査系を備える。
【００１７】
光学走査系は、発光部ユニット１０１、原稿照射ユニット１０２、第１ミラー４０３、第１キャリッジ４０４、第２ミラー４０５、第３ミラー４０６、第２キャリッジ４０７、レンズ４０８、原稿読み取り手段としてのＣＣＤイメージセンサ４０９等を有する。
【００１８】
原稿照射ユニット１０２および第１ミラー４０３は、第１キャリッジ４０４上に固定され、第２ミラー４０５および第３ミラー４０６は第２キャリッジ４０７上に固定されている。原稿台ガラス４０１上に載置された原稿を読み取るときには、光路長が変わらないように、第１キャリッジ４０４と第２キャリッジ４０７とが所定の相対速度で機械的に走査される。この光学走査系は、スキャナ駆動モータ（図示せず）にて駆動される。
【００１９】
画像の読み取りは、まず、発光部ユニット１０１のレーザーモジュール１内のレーザー光源を駆動し、該発光部ユニット１０１より導かれたレーザー光を原稿照射ユニット１０２により線光源として、原稿Ｇを照射する。このときの反射光は光路Ｋを通ってＣＣＤイメージセンサ４０９により読み取られ、電気信号（アナログ信号）に変換される。
【００２０】
発光部ユニット１０１は、公知のレーザー光源によって構成されているため、放熱処理の必要がある。そのため、画像読取装置４００の外面に接している板金の内側に接するように装着することで、ほぼ室温を保つことができ、安定した光量を得ることができる。光ファイバーコード３は屈曲状態で実装されており、原稿Ｇの読み取り時に第１キャリッジ４００の図の右方向の移動にあわせて柔軟に動くので、発光部ユニット１０１から発せられるレーザー光は安定して原稿照射ユニット１０２の蛍光体発光部５に照射される。
【００２１】
次に、図５を参照して、画像読取装置４００の制御系について説明する。
【００２２】
画像読取装置４００の制御系は、ＣＰＵ５０１、ＲＯＭ５０２、およびＲＡＭ５０３を備える。ＲＯＭ５０２には、制御用プログラムが格納されており、ＲＡＭ５０３には、入力データや作業用データが格納されている。
【００２３】
また、画像読取装置４００の制御系は、キャリッジ駆動のためのモータ（不図示）を駆動制御するモータードライバ５０４、キャリッジの位置検出用、圧板開閉を検知する各種センサ（不図示）の検知信号が入力されるセンサ入力部５０５を備える。
【００２４】
さらに、画像読取装置４００の制御系は、発光部ユニット１０１のレーザーモジュール１を駆動制御するレーザー制御部５０６、ＣＣＤイメージセンサ４０９より出力される画像信号を増幅して、Ａ／Ｄ変換するアナログ信号処理部５０７を備える。
【００２５】
さらに、画像読取装置４００の制御系は、デジタル信号に変換された画像信号にシェーディング補正を施す画像処理部５０８、シェーディング補正された画像信号をコントローラ５２０に転送する外部ＩＦ５０９を備える。外部ＩＦ５０９は、コントローラ５２０と画像読取装置４００との間の制御を行う、コマンドやデータのやり取りを行う。
【００２６】
ＣＰＵ５０１は、コントローラ５２０からの指示に従い、バス接続されたＲＯＭ５０２に格納された制御プログラムにしたがい、レーザー制御部５０６、モータードライバ５０４、画像処理部５０８を制御する。
【００２７】
なお、図５に示すように、画像読取装置４００が、コントローラ５２０および記録部５３０に接続される場合には、画像読取装置４００で読み取った画像データは、コントローラ５２０で画像処理が施され、記録部５３０にて記録出力するコピー装置となる。また、画像読取装置４００から、コントローラ５２０、公衆回線を経由し、相手側通信装置であるＦＡＸ装置５４０との間でのデータや画像情報等の通信を行うこともできる。更に、画像読取装置４００から、コントローラ５２０、インターネットを経由して、指定先のコンピュータ５５０へ画像データを送信することもできる。
【００２８】
次に、図７を参照して、画像読取装置４００の動作例について説明する。
【００２９】
まず、ステップＳ７００で、主電源スイッチ（不図示）がＯＮまたはコントローラ５２０からの電源ＯＮ要求を受け付けると、画像読取装置４００に各種電源が供給され、ステップＳ７０１に移行して、図８に示す光量調整初期化処理を行う。
【００３０】
次に、ステップＳ７０２では、電源ＯＦＦ状態への遷移イベントとなる、主電源スイッチＯＦＦ、またはコントローラ５２０からの電源ＯＦＦ要求を受け付けたかを監視する。そして、ステップＳ７０２で、電源ＯＦＦ状態への遷移イベントが発生しなければ、ステップＳ７０３に移行して、図９に示す画像読み取り処理を行う。ステップＳ７０２で、電源ＯＦＦ状態への遷移イベントが発生した場合、ステップＳ７０４に移行して、供給電源停止、電源ＯＦＦ時のための処理を行い、電源ＯＦＦ状態となる。
【００３１】
次に、図８を参照して、図７のステップＳ７０１での光量調整初期化処理について説明する。
【００３２】
まず、原稿読み取り時に所望の光量を発光するため、原稿照射ユニット１０２を、図示しない標準白色板位置へ移動し、レーザー制御部５０６により電流制御を行い、レーザーモジュール１を駆動制御する。次に、受光素子のサンプリングを行い、標準白色板の濃度をＣＣＤイメージセンサ４０９で測定する。測定した濃度データ（シェーディングデータ）が、所定の光量となるようなデータを後述するＡＰＣ制御での基準電圧（Ｖｒｅｆ）を出力する基準電流として確定し（ステップＳ８０１）、確定した基準電流をＲＡＭ５０３に記憶保存する（ステップＳ８０２）。
【００３３】
ここで、図６を参照して、ＡＰＣ回路について説明する。ＡＰＣ回路は、レーザーチップ６０２、レーザーチップ６０２の発光点６０２ａ、発光点６０２ａからのモニタービームを受光するモニターフォトダイオード６０３を備える。モニター出力電圧６０４は、モニターフォトダイオード６０３から出力され、ＣＰＵ５０１に入力される。また、ＡＰＣ回路は、モニター出力電圧６０４と電圧を比較する基準電圧（Ｖｒｅｆ）６０５、発光点６０２ａを駆動する電流を出力する電流駆動回路６０１を備える。
【００３４】
次に、図１０を参照して、ＡＰＣ制御（自動光量制御：以下、ＡＰＣという）について説明する。
【００３５】
まず、強制点灯による初期のＡＰＣを開始し、発光量と所望の値との関係を比較する（ステップＳ１０−１）。発光量が所望の値になっていればＡＰＣ動作を終了する。発光量が所望の値より高い場合には、光量信号のレベルを１ステップ下げ、発光量を下げる（ステップＳ１０−２）。また、この所望の値に対して発光量が低い場合は、光量信号を１ステップ上げ、発光量を上げる（ステップＳ１０−３）。
【００３６】
次に、図９を参照して、画像読取装置４００の画像読み取り動作について説明する。
【００３７】
コントローラ５２０では、図示しない操作部より原稿読み取り指示のスタートボタンが押下されたか否かを繰り返し判定しつつ待機状態となっている。原稿読み取りのスタートボタンが押下されると、コントローラ５２０から、画像読取装置へ原稿読み取り開始を指示するコマンドが送られる。
【００３８】
そして、画像読み取り部４００では、コントローラ５２０からの原稿読み取り開始指示コマンドを受け取ると、図８のステップＳ８０２で決定された電流値に従いレーザー制御部５０６を定電流制御する（ステップＳ９０１）。これにより、原稿照射ユニット１０２の導光体８を点灯して照明を行う。
【００３９】
次に、ステップＳ９０２では、原稿画像を読み取り中であるか否かを判断する。ここで、原稿読み取り中でない状態とは、紙間であったり、固定読み中時でのキャリッジをホームポジションへと戻す期間を示す。
【００４０】
ステップＳ９０２にて、画像読み取り中であると判断されると、前回のＡＰＣ制御で得られた制御電流値によりレーザー制御部５０６を定電流制御して導光体８を点灯し、原稿照射ユニット１０２の光量制御を行う（ステップＳ９０３）。
【００４１】
次に、ステップＳ９０４で、第１キャリッジ４０４を図示しない原稿セット基準から副走査方向に移動させ、原稿台ガラス４０１上に載置された原稿画像を読み取る。原稿照射ユニット１０２が原稿にレーザー光を照射すると、原稿からの反射光がミラー４０３，４０５，４０６及びレンズ４０８を介してＣＣＤイメージセンサ４０９に入力され、ここで光電変換等の電気処理が行われ、デジタル信号として処理される。そして、画像処理部５０８に送られた画像信号は、記憶されたシェーディングデータを基に補正され、外部ＩＦ５０９を経由してコントローラ５２０に送られる。
【００４２】
一方、ステップＳ９０２にて、画像読み取り中でないと判断されると、ステップＳ９０５に移行して、図１０のＡＰＣ制御を行い、次回の画像読み取り時の設定値となる所望の電流値を算出し、確定した目標発光量に対応する電流値をＲＡＭ５０３に記憶保存する。
【００４３】
次に、ステップＳ９０６では、読み取り原稿が終了したかを判断し、読み取りが終了していない場合は、ステップＳ９０２に戻って上記処理を繰り返し、読み取り原稿が存在しなければ、処理を終了する。原稿読み取り終了後、レーザー制御部５０６に対する定電流制御を終了し、レーザー発光を停止させる。
【００４４】
以上説明したように、この実施の形態では、画像の読み取り中以外のときに、画像読取装置４００の状態如何にかかわらず光量調整を行うことができるので、次の画像読取制御までの待機時間を小さくすることができ、画像読取スピードを向上させることができる。
【００４５】
また、本実施の形態による光量調整は、コヒーレントで且つブロードな光の調整であるため、光源の劣化よるスペクトル分布の変化は起こらず、光量分布の変動を抑えることができる。
【００４６】
次に、本発明の第２の実施の形態である画像読取装置について説明する。なお、上記第１の実施の形態に対して重複又は相当する部分については、説明を省略するとともに、符号を流用して説明する。
【００４７】
図１１に、図６のＡＰＣ回路（センサ）で検出したレーザー発光量に対する受光素子のモニター値の特性を示す。この特性から、電源初期化時に、ＡＰＣ回路でのモニター値Ｌ（ｉ）：ｉ＝目標光量を中心にレーザー光の変動する範囲で、比較的小さいステップの等間隔の光量ごとで、光量Ｌ（−ｍ）〜Ｌ（ｎ）毎に受光素子側のサンプリングを行う。
【００４８】
以下、受光素子側のサンプリングを行う光量調整初期化処理、サンプリングしたデータを反映した画像読み取り動作を説明する。
【００４９】
図１２は、電源ＯＮ時に行われる画像読取装置４００の光量調整初期化処理を示す図である。
【００５０】
まず、ステップＳ１２−１では、原稿照射ユニット１０２を、図示しない標準白色板位置へ移動し、受光素子の光量調整処理のサンプリングが終了したかを判断する。ステップＳ１２−１で、サンプリング終了と判断されると、処理を終了し、サンプリングが終了していなければ、ステップＳ１２−２に移行する。
【００５１】
ステップＳ１２−２では、受光素子のサンプリングを行うレーザー光量Ｌ（ｉ）を新たに決定して変更し、ＡＰＣ制御の目標光量とする。次に、ステップＳ１２−３では、ＡＰＣ制御により、レーザー光量をＬ（ｉ）とする。
【００５２】
次に、ステップＳ１２−４では、光量Ｌ（ｉ）で、標準白色板の濃度をＣＣＤイメージセンサ４０９で測定し、測定した濃度データ（シェーディングデータ）をレーザー光量Ｌ（ｉ）に対応するデータとして記憶する（ステップＳ１２−５）。記憶されたシェーディングデータは、画像読み取り時、演算処理され、原稿走査時にＣＣＤイメージセンサ４０９で読み取った画像の画素毎のばらつきを補正し、画像濃度を均一とする。なお、光量調整初期化処理は、画像読み取り部４００の電源ＯＮ時のみでなく、ジョブ読み取り開始前に行ってもよい。
【００５３】
次に、図１３を参照して、画像読取装置４００の画像読み取り動作について説明する。
【００５４】
まず、図５のコントローラ５２０では、図示しない操作部より原稿読み取り指示のスタートボタンが押下されたか否かを繰り返し判定しつつ待機状態となっている。原稿読み取りのスタートボタンが押下されると、コントローラ５２０から、画像読取装置４００へ原稿読み取り開始を指示するコマンドが送られる。
【００５５】
そして、ステップＳ１３−１で、画像読取装置４００がコントローラ５２０からの原稿読み取り開始コマンドを受け付けると、図８のステップＳ８０２で決定された電流値に従いレーザー制御回路５０６を定電流制御し、導光体８を点灯して照明を行う。
【００５６】
次に、ステップＳ１３−２では、原稿画像を読み取り中であるか否かを判断する。ここで、原稿読み取り中でない状態とは、紙間であったり、固定読み中時でのキャリッジをホームポジションへと戻す期間を示す。
【００５７】
ステップＳ１３−２にて、画像読み取り中と判断されると、前回のＡＰＣ制御で得られた制御電流値によりレーザー制御部５０６を定電流制御して導光体８を点灯し、原稿照射ユニット１０２の光量制御を行う（ステップＳ１３−３）。
【００５８】
次に、図６のＡＰＣ回路のモニタービームを計測して現在のレーザー光量を取得する。取得した現在のレーザー光量に対応する、図１２のステップＳ１２−５でサンプルしたシェーディングデータをメモリから取り出し、シェーディング補正値として設定する（ステップＳ１３−４）。
【００５９】
次に、第１キャリッジ４０４を図示しない原稿セット基準から副走査方向に移動させ、原稿台ガラス４０１上に載置された原稿画像を読み取る（ステップＳ１３−５）。原稿照射ユニット１０２が原稿にレーザー光を照射すると、原稿の反射光がミラー４０３，４０５，４０６及びレンズ４０８を介して、ＣＣＤイメージセンサ４０９に入力され、ここで光電変換等の電気処理が行われてデジタル信号として処理される。そして、画像処理部５０８に送られた画像信号は、記憶されたシェーディングデータを基に補正され、外部ＩＦ５０９を経由してコントローラ５２０に送られる。
【００６０】
一方、ステップＳ１３−２にて、画像読み取り中でないと判断されると、図１０に示したＡＰＣ制御を行い、次回画像読み取り時の設定値となる所望の電流値を算出し、確定した目標発光量に対応する電流値をＲＡＭ５０３に記憶保存する（ステップＳ１３−６）。
【００６１】
次に、ステップＳ１３−７では、読み取り原稿が終了したかを判断し、読み取り原稿が終了していない場合は、ステップＳ１３−２に戻って上記処理を繰り返す。ステップＳ１３−７で、読み取り原稿が終了したと判断されると、レーザー制御部５０６に対する定電流制御を終了し、レーザー発光を停止させて画像読み取り処理を終了する。その他の構成および作用効果については、上記第１の実施の形態と同様である。
【００６２】
次に、本発明の第３の実施の形態である画像読取装置について説明する。なお、上記第１および第２の実施の形態に対して重複又は相当する部分については、説明を省略するとともに、符号を流用して説明する。
【００６３】
本実施の形態では、上記第１および第２の実施形態に対して光学ユニットが相違している。図１４に、本実施の形態で用いる光学ユニットの一例を示す。この光学ユニット１４００は、発光部ユニット１４２０、および原稿照射ユニット１４３０を備える。
【００６４】
発光部ユニット１４２０は、原稿照射ユニット１４３０の複数の発光部１４０４の光源となるレーザーモジュール１４０１、およびレーザーモジュール１４０１を保持する金属製ホルダ１４０２を有する。また、発光部ユニット１４２０は、レーザーモジュール１４０１より出力されるレーザー光を原稿照射ユニット１４３０の発光部１４０４へ導く光ファイバーコード１４０３を有する。
【００６５】
原稿照射ユニット１４３０は、複数の発光部１４０４、導光体１４０６、原稿の反射光１４０５が導かれる反射光路１４０７を有する。
【００６６】
次に、光学ユニット１４００を画像読取装置４００に組み込んだ時の、制御フローを説明する。なお、光量調整初期化処理については、上記第１の実施の形態の図７で説明した電源ＯＮ時に行われる画像読み取り部４００の光量調整初期化処理と同様の処理を行なう。本実施の形態では、原稿読み取り時に所望の光量を発光するため、光学ユニット１４００の目標発光量に対応する電流値を確定する。但し、本実施の形態では、発光部ユニット１４２０が複数の発光部１４０４により構成されている。
【００６７】
次に、図１５を参照して、本実施の形態での光量調整初期化処理を説明する。
【００６８】
まず、すべての発光部１４０４に対する光量調整が終了したかどうかの判断を行い（ステップＳ１５−１）、終了していなければ制御電流の確定をする対象となる発光部１４０４を点灯させる（ステップＳ１５−２）。次に、対象の発光部１４０４に対して前述したＡＰＣ制御を実施して各発光部１４０４に対する制御電流を確定し、目標発光量に対応する電流値をＲＡＭ５０３に記憶保存する（ステップＳ１５−３）。ステップＳ１５−２およびＳ１５−３を繰り返し実行することで、すべての発光部１４０４に対して光量調整を行う。
【００６９】
ステップＳ１５−１で、すべての発光部１４０４に対する光量調整が終了したと判断した場合、原稿照射ユニット１４３０を、図示しない標準白色板位置へ移動し、ステップＳ１５−３で確定した制御電流で発光部１４０４を全て点灯し、導光体１４０６の照明を行う。そして、標準白色板の濃度をＣＣＤイメージセンサ４０９で測定し、測定した濃度データ（シェーディングデータ）を記憶する（ステップＳ１５−４）。
【００７０】
次に、図１６を参照して、画像読取装置４００の画像読み取り動作を説明する。
【００７１】
コントローラ５２０では、図示しない操作部より原稿読み取り指示のスタートボタンが押下されたか否かを繰り返し判定しつつ待機状態となっている。原稿読み取りのスタートボタンが押下されると、コントローラ５２０から、画像読取装置４００へ原稿読み取り開始を指示するコマンドが送られる。
【００７２】
そして、画像読取装置４００は、原稿読み取り開始指示コマンドを受け取ると、ステップＳ１５−３で決定された電流値に従い、対象となる発光部１４０４のレーザー制御部５０６を定電流制御して各発光部１４０４を点灯し、導光体８の照明を行う（ステップＳ１６−１）。
【００７３】
次に、ステップＳ１５−４でサンプルしたシェーディングデータをメモリから取り出し、シェーディング補正値として設定する（ステップＳ１６−２）。
【００７４】
次に、原稿画像を読み取り中であるか否かを判断する（ステップＳ１６−３）。ここで、原稿読み取り中でない状態とは、紙間であったり、固定読み中時でのキャリッジをホームポジションへと戻す期間を示す。
【００７５】
ステップＳ１６−３にて、画像読み取り中であると判断されると、前回のＡＰＣ制御で得られた制御電流値によりレーザー制御部５０６を定電流制御する。そして、発光部１４０４を全て点灯して導光体８を点灯し、原稿照射ユニット１４３０の光量制御を行う（ステップＳ１６−４）。
【００７６】
次に、第１キャリッジ４０４を図示しない原稿セット基準から副走査方向に移動させ、原稿台ガラス４０１上に載置された原稿画像を読み取る。原稿照射ユニット１０２がレーザー光を原稿に照射し、原稿の反射光がミラー４０３，４０５，４０６及びレンズ４０８を介してＣＣＤイメージセンサ４０９に入力され、ここで光電変換等の電気処理が行われてデジタル信号として処理される。
【００７７】
次に、画像処理部５０８に送られた画像信号は、ステップＳ１６−２で設定されたシェーディングデータを基に補正され、外部ＩＦ５０９を経由してコントローラ５２０に送られる（ステップＳ１６−５）。
【００７８】
一方、ステップＳ１６−３にて、画像読み取り中でないと判断されると、ステップＳ１５−１、ステップＳ１５−２、ステップＳ１５−３の処理を行い、ＡＰＣ制御を実行して原稿照射ユニット１４３０の光量調整を行う（ステップＳ１６−６）。
【００７９】
次に、ステップＳ１６−７では、読み取り原稿が終了したかを判断し、読み取り原稿が終了していない場合は、ステップＳ１６−３に戻って上記処理を繰り返す。ステップＳ１６−７で、読み取り原稿が終了したと判断されると、処理を終了する。原稿読み取り終了後、複数の発光部１４０４に対応するレーザー制御部５０６に対する定電流制御を終了し、レーザー発光を停止させる。その他の構成および作用効果については、上記第１の実施の形態と同様である。
【００８０】
なお、本実施の形態では、データ処理装置に画像データを入力するための画像読取装置において、原稿を照明するための原稿照明装置に本発明を適用している。データ処理装置としては、例えば、プリンタ及びプリンタを動作させるためのコントローラを用いることで構成されるＭＦＰ（マルチファンクションプリンタ）、パーソナルコンピュータ及びそれに接続されるコントローラを用いることによって構成されるドキュメントスキャナを例示することができる。また、データ処理装置として、公衆回線と接続し、画像データを転送するモデム機能を備えたコントローラと接続することによって構成されるＦＡＸを例示することができる。
【図面の簡単な説明】
【００８１】
【図１】本発明の第１の実施の形態である画像読取装置の光学ユニットの一例を説明するための図である。
【図２】図１に示す光学ユニットの発光部ユニットを拡大した図である。
【図３】図１に示す光学ユニットの原稿照射ユニットの詳細図である。
【図４】本発明の第１の実施の形態である画像読取装置を説明するための概略断面図である。
【図５】本発明の第１の実施の形態である画像読取装置の制御ブロック図である。
【図６】ＡＰＣ回路の基本構成を説明するためのブロック図である。
【図７】本発明の第１の実施の形態である画像読取装置の動作例を説明するためのフローチャート図である。
【図８】光量調整初期化処理を説明するためのフローチャート図である。
【図９】画像読み取り処理を説明するためのフローチャート図である。
【図１０】ＡＰＣ制御を説明するためのフローチャート図である。
【図１１】本発明の第２の実施の形態である画像読取装置における受光素子での光量モニター値の特性を示すグラフ図である。
【図１２】光量調整初期化処理を説明するためのフローチャート図である。
【図１３】画像読み取り処理を説明するためのフローチャート図である。
【図１４】本発明の第３の実施の形態である画像読取装置の光学ユニットの一例を説明するための図である。
【図１５】光量調整初期化処理を説明するためのフローチャート図である。
【図１６】画像読み取り処理を説明するためのフローチャート図である。
【符号の説明】
【００８２】
１  レーザーモジュール（コヒーレント光発光手段）
２  金属製ホルダ
３  光ファイバーコード（導光手段）
４  ホルダ
５  蛍光体発光部（蛍光手段）
６  放熱部材
７  光リフレクタ
８  導光体
９  反射光路
１０  拡散面
１００  光学ユニット
１０１  発光部ユニット
１０２  原稿照射ユニット（原稿照射手段）
４００  画像読取装置
４０１  原稿台ガラス
４０２  圧板
４０３  第１ミラー
４０４  第１キャリッジ
４０５  第２ミラー
４０６  第３ミラー
４０７  第２キャリッジ
４０８  レンズ
４０９  ＣＣＤイメージセンサ
５０１  ＣＰＵ
５０２  ＲＯＭ
５０３  ＲＡＭ
５０４  モータードライバ
５０５  センサ入力部
５０６  レーザー制御部
５０７  アナログ信号処理部
５０８  画像処理部
５０９  外部ＩＦ
５２０  コントローラ
５３０  記録部
５４０  相手通信装置ＦＡＸ
５５０  コンピュータ
６０１  電流駆動回路
６０２  レーザーチップ
６０２ａ  発光点
６０３  モニターフォトダイオード
６０４  モニター出力電圧
６０５  基準電圧（Ｖｒｅｆ）
１４００  光学ユニット
１４０１  レーザーモジュール（コヒーレント光発光手段）
１４０２  金属製ホルダ
１４０３  光ファイバーコード（導光手段）
１４０４  発光部（蛍光手段）
１４０５  反射光
１４０６  導光体
１４０７  反射光路
１４２０  発光部ユニット
１４３０  原稿照射ユニット（原稿照射手段）
Ｋ    光路
Ｇ    原稿
【図１】
2008147955.tif 000003
【図２】
2008147955.tif 000004
【図３】
2008147955.tif 000005
【図４】
2008147955.tif 000006
【図５】
2008147955.tif 000007
【図６】
2008147955.tif 000008
【図７】
2008147955.tif 000009
【図８】
2008147955.tif 000010
【図９】
2008147955.tif 000011
【図１０】
2008147955.tif 000012
【図１１】
2008147955.tif 000013
【図１２】
2008147955.tif 000014
【図１３】
2008147955.tif 000015
【図１４】
2008147955.tif 000016
【図１５】
2008147955.tif 000017
【図１６】
2008147955.tif 000018